(57)【要約】【課題】限られた建坪の住宅であっても、居間空間内において、それぞれ異なった雰囲気で過ごせる複数の居場所を居住者に与えることのできる住宅構造を提供する。【解決手段】居間空間（１０）の三側方が外壁（２１，２２，２３）に囲まれた住宅において、第１の外壁（２１）には、居間空間（１０）の床面（２４）から上方に延びる掃き出し窓（３１）が設けられ、第１の外壁（２１）と対向する第２の外壁（２２）には、床面（２４）に沿うように地窓（３２）が設けられている。また、この住宅には、第１の外壁（２１）側に面する第１の空間（１１）と、第２の外壁（２２）側に面する第２の空間（１２）とを仕切り、かつ、居間空間（１０）の天井との間に空間を有するように、床面（２４）から上方に立ち上がる仕切り壁（４０）が備えらえる。【選択図】図１
2015031033.tif 000002
【特許請求の範囲】
【請求項１】
居間空間の三側方が外壁に囲まれた住宅の構造であって、
前記居間空間の床面から上方に延びる掃き出し窓が設けられた第１の外壁と、
前記第１の外壁と対向する位置に配置され、前記床面に沿うように地窓が設けられた第２の外壁と、
前記第１の外壁側に面する第１の空間と、前記第２の外壁側に面する第２の空間とを仕切り、かつ、前記居間空間の天井との間に空間を有するように、前記床面から上方に立ち上がる仕切り壁とを備える、住宅構造。
【請求項２】
前記第２の空間は、静的空間を形成するように構成され、
前記第１の空間のうち、前記仕切り壁に隣接する部分は、落ち着き空間を形成するように構成され、
前記第１の空間のうち、前記第１の外壁に隣接する部分は、活動空間を形成するように構成される、住宅構造。
【請求項３】
前記第２の空間の床部には、畳が設けられている、請求項１または２に記載の住宅構造。
【請求項４】
前記仕切り壁の高さは、８０〜１２０ｃｍの範囲で定められる、請求項１または２に記載の住宅構造。
【請求項５】
前記第１の外壁および前記第２の外壁それぞれの端部を連結する第３の外壁をさらに備え、
前記仕切り壁は、
一端が前記第３の外壁と直交するように配置される第１の仕切り部と、
前記第１の仕切り部の他端に連結され、前記第２の外壁側に向かって延びる第２の仕切り部とを含む、請求項１または２に記載の住宅構造。
【請求項６】
前記仕切り壁は、前記地窓の横幅以上の幅を有する、請求項１または２に記載の住宅構造。
【請求項７】
前記第１の空間には、前記仕切り壁に沿って、前記掃き出し窓側に視線を向かわせる座部形成部材が配置される、請求項１または２に記載の住宅構造。
【請求項８】
前記座部形成部材は、ソファである、請求項７に記載の住宅構造。
【請求項９】
前記第１の外壁および前記第２の外壁それぞれの端部を連結する第３の外壁をさらに備え、
前記第３の外壁の、前記仕切り壁より前記第１の空間側に位置する部分には、小窓が設けられる、請求項１または２に記載の住宅構造。
【請求項１０】
前記小窓の高さは、前記仕切り壁の高さ以下である、請求項９に記載の住宅構造。
【請求項１１】
前記掃き出し窓の屋外側には、デッキが設けられている、請求項１または２に記載の住宅構造。
【請求項１２】
前記第１の外壁は、南側に配置され、前記第２の外壁は、北側に配置されている、請求項１または２に記載の住宅構造。
【発明の詳細な説明】
【技術分野】
【０００１】
本発明は、住宅構造であって、特に、居間空間の三側方が外壁に囲まれた戸建住宅の構造に関する。
【背景技術】
【０００２】
従来から、戸建住宅等において、家族が集う場所である居間空間への採光が重要視されている。そのため、特開平１１−２１０２４０号公報（特許文献１）および特開２０００−８７５６９号公報（特許文献２）に示されるように、居間空間は、たとえば、掃き出し窓のような大開口の窓際に設けられる。これらの文献では、居間空間としての和室にも、フローリング床のリビングと同様に、デッキへと繋がる掃き出し窓が設けられており、この和室とリビングとは、建具によって仕切られている。
【０００３】
また、従来から、居間空間の一部に、間仕切りを設けることなく畳コーナーが配置された住宅も存在する。
【先行技術文献】
【特許文献】
【０００４】
【特許文献１】特開平１１−２１０２４０号公報
【特許文献２】特開２０００−８７５６９号公報
【発明の概要】
【発明が解決しようとする課題】
【０００５】
一般的な住宅では、特許文献１，２のように、居間空間の一部に和室が設けられることがある。しかしながら、限られた建坪の分譲住宅等においては、床面積の関係上、リビングと隣接して和室を設けること自体困難な場合がある。また、和室とリビングとが完全に仕切られる場合、居間空間全体の開放感が失われるだけでなく、両室間の通風も快適に行うことができない。
【０００６】
また、上述のように、居間空間の一部に間仕切りを設けることなく畳コーナーが配置された住宅も存在するが、単に、畳コーナーを設けるだけでは、居住者は、他の空間から隔離されたような静かな雰囲気を感じることはできない。
【０００７】
本発明は、上記のような課題を解決するためになされたものであって、その目的は、限られた建坪の住宅であっても、居間空間内において、それぞれ異なった雰囲気で過ごせる複数の居場所を居住者に与えることのできる住宅構造を提供することである。
【課題を解決するための手段】
【０００８】
この発明のある局面に従う住宅構造は、居間空間の三側方が外壁に囲まれた住宅の構造であって、居間空間の床面から上方に延びる掃き出し窓が設けられた第１の外壁と、第１の外壁と対向する位置に配置され、床面に沿うように地窓が設けられた第２の外壁と、第１の外壁側に面する第１の空間と、第２の外壁側に面する第２の空間とを仕切り、かつ、居間空間の天井との間に空間を有するように、床面から上方に立ち上がる仕切り壁とを備える。
【０００９】
好ましくは、第２の空間は、静的空間を形成するように構成され、第１の空間のうち、仕切り壁に隣接する部分は、落ち着き空間を形成するように構成され、第１の空間のうち、第１の外壁に隣接する部分は、活動空間を形成するように構成される。
【００１０】
好ましくは、第２の空間の床部には、畳が設けられている。
【００１１】
好ましくは、仕切り壁の高さは、８０〜１２０ｃｍの範囲で定められる。
【００１２】
好ましくは、住宅構造は、第１の外壁および第２の外壁それぞれの端部を連結する第３の外壁をさらに備える。この場合、仕切り壁は、一端が第３の外壁と直交するように配置される第１の仕切り部と、第１の仕切り部の他端に連結され、第２の外壁側に向かって延びる第２の仕切り部とを含むことが望ましい。
【００１３】
好ましくは、仕切り壁は、地窓の横幅以上の幅を有する。
【００１４】
好ましくは、第１の空間には、仕切り壁に沿って、掃き出し窓側に視線を向かわせる座部形成部材が配置される。
【００１５】
座部形成部材は、ソファであってもよい。
【００１６】
好ましくは、第１の外壁および第２の外壁それぞれの端部を連結する第３の外壁をさらに備える。この場合、第３の外壁の、仕切り壁より第１の空間側に位置する部分には、小窓が設けられることが望ましい。
【００１７】
小窓の高さは、仕切り壁の高さ以下であってもよい。
【００１８】
好ましくは、掃き出し窓の屋外側には、デッキが設けられる。
【００１９】
好ましくは、第１の外壁は、南側に配置され、第２の外壁は、北側に配置されている。
【発明の効果】
【００２０】
本発明によれば、限られた建坪の住宅であっても、居間空間内において、それぞれ異なった雰囲気で過ごせる複数の居場所を居住者に与えることができる。
【図面の簡単な説明】
【００２１】
【図１】本発明の実施の形態に係る住宅の構成例を示す透視図である。
【図２】本発明の実施の形態に係る住宅の１階部分の間取り例を示す図である。
【図３】本発明の実施の形態に係る住宅を模式的に示す模式断面図である。
【発明を実施するための形態】
【００２２】
本発明の実施の形態について図面を参照しながら詳細に説明する。なお、図中同一または相当部分には同一符号を付してその説明は繰返さない。
【００２３】
図１〜図３を参照して、本実施の形態に係る住宅１の構造例について説明する。
【００２４】
本実施の形態において、住宅１は、たとえば、分譲住宅地に建てられる複数戸の住宅のうちの１つである。図２に示されるように、住宅１の１階部分に、玄関９１、ダイニング９２、サニタリー空間９３、および、居間空間１０などが設けられている。居間空間１０は、日々の生活において、居住者（家族）が集い、寛げる屋内空間を表わす。なお、住宅１は、たとえば２階建てであることとするが、１階建てや３階建てであってもよい。
【００２５】
図１に示されるように、居間空間１０は、その三側方が外壁２１，２２，２３によって囲まれている。典型的には、外壁２１は南向きであり、外壁２２は北向きである。外壁２３は東向きであり、外壁２１および外壁２２それぞれの端部を連結している。本実施の形態では、外壁２１側が道路側であると仮定する。したがって、外壁２１側が、住宅１の前方であることとする。
【００２６】
図３に示されるように、住宅１の前方には、比較的広い庭７０が設けられ、住宅１の後方には、比較的狭い庭８０が設けられている。なお、庭８０のさらに後方側には、他の住宅の建物が近接して建てられていてもよい。また、住宅１の左右方向両隣りにも、他の住宅の建物が近接して建てられていてもよい。隣家との間には、塀がなく、植物のみが植えられていてもよい。
【００２７】
住宅１は、１階の床面積が狭いため、居間空間１０と他の空間とは仕切られることなく連続して設けられている。居間空間１０の西側は、たとえば、ダイニング９２、および、階段下の通路（廊下）９４に隣接している。ここで、本実施の形態では、居間空間１０内に、居住者が異なった雰囲気で過ごせる複数の居場所を形成するために、各外壁２１，２２，２３にメリハリを付けて光を採り込むための開口部が設けられ、かつ、居間空間１０を南北方向に仕切る仕切り壁４０が設けられている。
【００２８】
仕切り壁４０は、対向する外壁２１，２２との間の若干外壁２２寄りの位置に、これらの外壁２１，２２と略平行な位置関係となるように配置されている。仕切り壁４０は、居間空間１０の天井２５との間に空間を有するように、居間空間１０のフラットな床面２４から腰高さまで上方に立ち上がっている。これにより、図２に示されるように、居間空間１０が、外壁２１に面する南側空間１１と、外壁２２に面する北側空間１２とに緩やかに仕切られる。仕切り壁４０は、光の透過および通風を遮断する材質によって形成されていることが望ましく、本実施の形態ではたとえば木調仕上げされている。なお、「腰高さ」とは、起立した成人の腰の位置付近の高さを表し、たとえば９０〜１００ｃｍ程度である。このように、仕切り壁４０は、一般的な手摺壁よりも低いことが望ましい。ただし、仕切り壁４０の高さは、腰高さに限定されず、たとえば８０〜１２０ｃｍの範囲で定められていればよい。
【００２９】
この仕切り壁４０よりも北側に位置する北側空間１２は、居住者が床面２４上に直に座って静かに過ごせる居場所となるように形成されることが望ましい。つまり、北側空間１２は「静的空間」として形成されることが望ましい。また、南側空間１１のうち、仕切り壁４０に隣接する部分（空間）１３は、座部が床面２４より高い位置に形成される部材（以下「座部形成部材」という）に座って、居住者が落ち着いて過ごせる居場所となるように形成されることが望ましい。つまり、空間１３は「落ち着き空間」として形成されることが望ましい。また、南側空間１１のうち、外壁２１に隣接する部分（空間）１４は、居住者が立って活動的に過ごせる居場所となるように形成されることが望ましい。つまり、空間１４は「活動空間」として形成されることが望ましい。このように、空間１２，１３，１４をそれぞれ静的空間、落ち着き空間および活動空間とするための、住宅１の具体的な構造例について、以下に詳細に説明する。
【００３０】
（活動空間について）
まず、南側空間１１のうち外壁２１に隣接する空間１４を活動空間とするための住宅１の構造について説明する。
【００３１】
図１に示されるように、外壁２１には、大開口の掃き出し窓３１が設けられている。掃き出し窓３１は、上下方向において、居間空間１０の床面２４から天井２５近傍まで延びており、幅方向において、外壁２１の外壁２３側端部にまで延びている。掃き出し窓３１の開口幅は、たとえば３モジュールである。モジュールは、建物の平面プラン上の一単位であり、たとえば、９１０ｍｍ、あるいは、１０００ｍｍとして設定される。
【００３２】
また、掃き出し窓３１の屋外側には、デッキ６０が設けられている。図３に示されるように、デッキ６０は、たとえばウッドデッキであり、その床面が、住宅１内の床面２４と略面一形状となるように設けられていることが望ましい。本実施の形態において、デッキ６０よりもさらに屋外側の庭７０には、高さのある樹木７１が植えられている。また、庭７０には、デッキ６０の幅方向に沿って、土手部７２が設けられている。土手部７２の頂部は、デッキ６０の床面よりも高く、デッキ６０の前方端部と平行に延びている。土手部７２には、芝生などの丈の低い植物が植えられている。
【００３３】
住宅１が上記のように構成されることで、外壁２１に隣接する空間１４は、大開口の掃き出し窓３１を介して、デッキ６０および庭７０へと通じる、明るく広がりのある空間として形成される。したがって、当該空間１４において、居住者は、歩いてデッキ６０へ出たり、立って屋外の景色を眺めたり、あるいは、パーソナルチェア５１に座ったりと、活動的に過ごすことができる。
【００３４】
（静的空間について）
続いて、北側空間１２を静的空間とするための住宅１の構造について説明する。
【００３５】
図１に示されるように、外壁２２には、居間空間１０の床面２４に沿うように地窓３２が設けられている。地窓３２は、上下方向において、床面２４から腰高さまで延びており、幅方向において、外壁２２の外壁２３側端部にまで延びている。本実施の形態では、地窓３２の上端部（天辺）の高さと仕切り壁４０の高さとは、略同一である。なお、地窓３２の高さも、腰高さに限定されず、仕切り壁４０と同様に、８０〜１２０ｃｍの範囲内で定められればよい。また、地窓３２の高さは、仕切り壁４０よりも低くてもよい。また、地窓３２は、ワイド幅であり、その開口幅は、たとえば掃き出し窓３１の開口幅と略同一である。この場合でも、仕切り壁４０は、地窓３２の横幅全体を覆っていることが望ましい。
【００３６】
また、居間空間１０の床面２４のうち、北側空間１２の床部２６には、床上に直に座っても快適に過ごせるように、たとえば畳が設けられていることが望ましい。これにより、北側空間１２においては、仕切り壁４０が背もたれ壁としても機能する。
【００３７】
また、仕切り壁４０は、平面視において略Ｌ字状に形成されていることが望ましい。つまり、仕切り壁４０は、北側空間１２の南側に配置される仕切り部４１だけでなく、北側空間１２の西側（居間空間１０外の空間（通路９４）との境界）を部分的に仕切る仕切り部４２を含んでいることが望ましい。この場合、仕切り部４１は、地窓３２の横幅以上の幅を有し、一端が外壁２３と直交するように配置される。仕切り部４２は、仕切り部４１の他端に連結され、外壁２２側に向かってその途中位置まで延びている。仕切り部４２の幅は、たとえば５０〜２００ｃｍの範囲で定められる。
【００３８】
住宅１が上記のように構成されることで、北側空間１２において、仕切り壁４０の仕切り部４１を背もたれとして床部２６上に座った場合、仕切り壁４０によって頭部の少なくとも一部が覆われる。したがって、南側空間１１から完全に隔離されることなく、適度に囲われているような篭り感を感じることができる。また、座っている居住者の目線は、地窓３２を介して自然と北側の庭８０の地面に向けられる。したがって、北側空間１２において、静かな雰囲気を得ることができる。また、地窓３２の高さが抑えられているため、床部２６に座っていても、屋外の庭８０側に立っている人からの視線を気にすることなく寛ぐことができる。
【００３９】
（落ち着き空間について）
続いて、南側空間１１のうち仕切り壁４０に隣接する空間１３を落ち着き空間とするための住宅１の構造について説明する。
【００４０】
図１に示されるように、外壁２３の横幅方向中央位置に、仕切り壁４０に隣接して小窓３３が設けられている。小窓３３は、上下方向において、床面２４から仕切り壁４０の高さまで延びている。小窓３３の幅は、たとえば９０ｃｍ以下である。このように、仕切り壁４０の近傍に小窓３３が配置されることで、居住者は、仕切り壁４０のある中間位置において、落ち着いた雰囲気で、隣家との間に植えられた植物の緑を、身近に楽しむことができる。
【００４１】
また、仕切り壁４０の南側に、仕切り壁４０に沿って、座部形成部材としてたとえばソファ５２が配置されている。ソファ５２は、仕切り壁４０の南側の面４０ａに、その背もたれ部５２ａが当接するように配置されることで、着座者（居住者）の目線は、掃き出し窓３１側に向けられる。したがって、空間１３において、居住者は、落ち着いた雰囲気で、南側の庭７０の樹木７１を鑑賞したり、掃き出し窓３１からの光を感じたりすることができる。
【００４２】
なお、本実施の形態では、ソファ５２が配置されることとするが、快適に座って過ごせるような座部形成部材であれば、ソファ５２に限定されない。たとえば、背もたれ部を有さない長椅子であってもよい。この場合、空間１３においても、仕切り壁４０を背もたれ壁として利用することができる。
【００４３】
また、たとえば居間空間１０の東西方向（外壁２３と直交する方向）の幅が狭い場合などにおいては、外壁２３から離れてソファ５２を置くことが困難なケースも考えられる。このような場合には、小窓３３は、着座者の目線の高さに位置するように、外壁２３の上下方向略中央位置に設けられてもよい。
【００４４】
以上説明したように、本実施の形態の住宅１では、居間空間１０を囲む外壁２１，２２，２３それぞれに、種類（位置および大きさ）が異なる開口部（窓）３１，３２，３３が方位に合わせてメリハリを付けて設けられている。また、居間空間１０が、背もたれ壁ともなる、高さが抑えられた仕切り壁４０によって仕切られている。これにより、各開口部に対応する位置（空間）に、開口部との関わりにおいて雰囲気が異なる居場所を居住者に与えることができる。つまり、居間空間１０内に、北側から順に、静的空間（空間１２）、落ち着き空間（空間１３）および活動空間（空間１４）を形成することができる。
【００４５】
また、上述のように、静的空間（北側空間１２）は、床部２６（床面２４）上に直に座る空間である。また、落ち着き空間（空間１３）は、ソファ５２などの座部形成部材に座る空間であり、活動空間（空間１４）は、立つ空間である。そのため、本実施の形態によれば、北側の空間１２から南側の空間１４へ向かうにつれて、居住者が各空間内で過ごす姿勢が高くなっていく。言い換えると、図３に示されるように、空間１２、空間１３および空間１４の順に、空間の高さが高くなっている。したがって、限られた建坪の住宅１であっても、居間空間１０が、単調な雰囲気の空間となることを避けることができる。
【００４６】
また、対向する外壁２１，２２間は、背もたれ壁ともなる、腰高さの仕切り壁４０によって仕切られるのみである。そのため、掃き出し窓３１および地窓３２を開放した場合、北側の庭８０からの冷えた空気が、地窓３２から掃き出し窓３１へ向かって、居間空間１０内を通り抜ける。また、日中は、掃き出し窓３１からの採光を、北側空間１２側（上方部分）にも採り込むことができる。したがって、本実施の形態によれば、居間空間１０全体を、光および風に寄り添う開放的な空間とすることもできる。なお、小窓３３においても通風できるように、小窓３３も開放可能であってもよい。
【００４７】
なお、外壁２１〜２３の方位は、外壁２１が南向き、外壁２２が北向きであることとして説明したが、外壁２２よりも外壁２１の方が相対的に光を受けやすい方位であれば、このような例に限定されない。たとえば、外壁２１が東向き、外壁２２が西向きであってもよい。
【００４８】
また、本実施の形態では、居間空間１０が、平面視において居住者の居場所となる３つの空間１２，１３，１４で構成されることとした。しかしながら、居間空間１０は、たとえば空間１２と空間１３または空間１４との間の行き来のための通路空間等、他の空間を含んでいてもよい。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５０】
１  住宅、１０  居間空間、１１南側空間、１３  南側空間（落ち着き空間）、１４  南側空間（活動空間）、１２  北側空間（静的空間）、２１，２２，２３  外壁、２４  床面、２５  天井、２６  床部、３１  掃き出し窓、３２  地窓、３３  小窓、４０  仕切り壁、５１  パーソナルチェア、５２  ソファ、６０  デッキ、７０，８０  庭、７１  樹木、７２  土手部。
【図１】
2015031033.tif 000003
【図２】
2015031033.tif 000004
【図３】
2015031033.tif 000005